(57)【特許請求の範囲】
【請求項１】
作成又は更新した衣料品の三次元情報を含む衣料情報を送信する衣料メーカ端末と、ユーザの三次元画像である体型情報を取得して送信する体型情報取得装置と、受信した前記衣料メーカ端末からの前記衣料情報、受信した前記体型情報取得装置からの前記体型情報、アクセス可能なユーザのユーザ情報、及び特定の建築物内の照度又は特定の地域・場所における少なくとも天気に基づく照度を示す照度情報をそれぞれ記憶する機能を少なくとも備えたサーバ装置と、ユーザが試着しようとする所望の衣料品を選択するためのユーザ端末とが、通信ネットワークを介して互いに双方向に通信可能な状態で接続された試着システムであって、
前記ユーザ端末は、前記通信ネットワークを介して前記サーバ装置にアクセスして、前記サーバ装置から受信した前記衣料情報の中から試着しようとする所望の衣料品を示す試着衣料情報、前記特定の建築物内又は前記特定の地域・場所のいずれにおいて照度補正するか否かを示す照度補正指示情報、及び前記試着衣料情報が示す三次元の衣料品が前記ユーザの体型情報が示すそのユーザの体型に対してどれだけの余裕があるかを示す指標である適合度を指示する適合度指示情報をそれぞれ前記通信ネットワークを介して前記サーバ装置に送信し、
前記サーバ装置は、アクセスされた前記ユーザ端末から送信された前記試着衣料情報及び前記照度補正指示情報を受信し、予め記憶している該ユーザ端末のユーザの体型情報と前記受信した試着衣料情報とを合成し、受信した前記照度補正指示情報により読み出した前記記憶している照度情報に基づき照度補正を施して生成した三次元合成画像中に、更に受信した前記適合度指示情報に基づき算出した適合度を付加した合成画像を生成して前記ユーザ端末へ前記通信ネットワークを介して送信する機能を有することを特徴とする試着システム。
【請求項２】
前記ユーザ端末は、前記サーバ装置から受信した前記衣料情報とは別に、予め事前に登録しておいた衣料品の衣料情報を前記試着衣料情報として、前記通信ネットワークを介して前記サーバ装置に送信することを特徴とする請求項１記載の試着システム。
【請求項３】
作成又は更新した衣料品の三次元情報を含む衣料情報を送信する衣料メーカ端末と、ユーザの三次元画像である体型情報を取得して送信する体型情報取得装置と、ユーザが試着しようとする所望の衣料品を選択するためのユーザ端末と共に、通信ネットワークを介して互いに双方向に通信可能な状態で接続された試着システムを構築するサーバ装置であって、
前記衣料メーカ端末からの前記衣料情報、前記体型情報取得装置からの前記体型情報、前記ユーザ端末から送信された各種情報を、前記通信ネットワークを介して受信する受信手段と、
受信した前記衣料情報を記憶又は更新する第１の記憶部と、
受信した前記体型情報を記憶又は更新する第２の記憶部と、
アクセス可能なユーザのユーザ情報を記憶する第３の記憶部と、
特定の建築物内の照度又は特定の地域・場所における少なくとも天気に基づく照度を示す照度情報を記憶する第４の記憶部と、
アクセスされた前記第３の記憶部に記憶されているユーザの前記ユーザ端末に対し、前記第１の記憶部から読み出した前記衣料情報を前記ユーザ端末に送信する衣料情報送信手段と、
アクセスされた前記ユーザ端末から送信された適合度指示情報を前記受信手段により受信したときは、受信した前記適合度指示情報に基づき、前記ユーザが試着しようとする所望の衣料品を示す試着衣料情報が示す三次元の衣料品が、そのユーザの体型情報が示すユーザの体型に対してどれだけの余裕があるかを示す指標である適合度を算出する適合度算出手段と、
前記衣料情報を受信した前記ユーザ端末において該衣料情報の中から選択して送信された試着衣料情報、及びそのユーザ端末から送信された前記特定の建築物内又は前記特定の地域・場所のいずれにおいて照度補正するか否かを示す照度補正指示情報を前記受信手段により受信したときは、受信した前記試着衣料情報と前記第２の記憶部から読み出した前記ユーザの体型情報とを合成し、更に受信した前記照度補正指示情報が照度補正を指示しているときは、前記第４の記憶部から読み出した照度情報に基づき照度補正を施し、かつ、算出された前記適合度に応じた三次元の合成画像を生成する合成画像生成手段と、
前記合成画像生成手段により生成された前記三次元の合成画像を前記ユーザ端末へ前記通信ネットワークを介して送信する送信手段と
を有することを特徴とするサーバ装置。
【請求項４】
作成又は更新した衣料品の三次元情報を含む衣料情報を送信する衣料メーカ端末と、ユーザの三次元画像である体型情報を取得して送信する体型情報取得装置と、受信した前記衣料メーカ端末からの前記衣料情報、受信した前記体型情報取得装置からの前記体型情報、アクセス可能なユーザのユーザ情報、及び特定の建築物内の照度又は特定の地域・場所における少なくとも天気に基づく照度を示す照度情報をそれぞれ記憶する機能を少なくとも備えたサーバ装置と共に、通信ネットワークを介して互いに双方向に通信可能な状態で接続された試着システムを構築するユーザ端末であって、
前記通信ネットワークを介して前記サーバ装置にアクセスして、該サーバ装置から前記衣料情報を受信して表示部に表示する衣料情報受信手段と、
受信した前記衣料情報の中から試着しようとする所望の衣料品を示す試着衣料情報及び前記特定の建築物内又は前記特定の地域・場所のいずれにおいて照度補正するか否かを示す照度補正指示情報を、前記試着衣料情報が示す三次元の衣料品が前記ユーザの体型情報が示すそのユーザの体型に対してどれだけの余裕があるかを示す指標としての適合度の算出を前記サーバ装置に指示するための適合度指示情報と共に前記通信ネットワークを介して前記サーバ装置に送信する送信手段と、
送信した前記適合度指示情報、前記試着衣料情報及び照度補正指示情報に基づき、前記サーバ装置において生成されて送信された三次元の合成画像を受信して表示部に表示する合成画像受信手段と
を有することを特徴とするユーザ端末。
【請求項５】
作成又は更新した衣料品の三次元情報を含む衣料情報を送信する衣料メーカ端末と、ユーザの三次元画像である体型情報を取得して送信する体型情報取得装置と、受信した前記衣料メーカ端末からの前記衣料情報、受信した前記体型情報取得装置からの前記体型情報、アクセス可能なユーザのユーザ情報、及び特定の建築物内の照度又は特定の地域・場所における少なくとも天気に基づく照度を示す照度情報をそれぞれ記憶する機能を少なくとも備えたサーバ装置と共に、通信ネットワークを介して互いに双方向に通信可能な状態で接続された試着システムを構築するユーザ端末として用いられる携帯通信端末であって、  各種情報を表示する表示部と、
前記通信ネットワークを介して前記サーバ装置にアクセスして、該サーバ装置から前記衣料情報を受信する衣料情報受信手段と、
受信した前記衣料情報の中から試着しようとする所望の衣料品を示す試着衣料情報と、前記特定の建築物内又は前記特定の地域・場所のいずれにおいて照度補正するか否かを示す照度補正指示情報と、前記試着衣料情報が示す三次元の衣料品が前記ユーザの体型情報が示すそのユーザの体型に対してどれだけの余裕があるかを示す指標としての適合度の算出を指示する適合度指示情報とを、前記通信ネットワークを介して前記サーバ装置に送信する送信手段と、
送信した前記試着衣料情報及び前記照度補正指示情報並びに前記適合度指示情報に基づき、前記サーバ装置において生成されて送信された三次元の合成画像を受信する合成画像受信手段と、
前記衣料情報受信手段により受信された衣料情報、又は前記合成画像受信手段により受信された合成画像を、予め設定した各部位毎に、その部位の前記衣料品と予めユーザの好みに応じて設定された基準余裕値との寸法の差の比較結果を示す情報と共に切り替えて前記表示部に表示する表示制御手段と
を有することを特徴とする携帯通信端末。
【発明の詳細な説明】
【技術分野】
【０００１】
本発明は試着システム並びにそれに用いるサーバ装置、ユーザ端末及び携帯通信端末に係り、特にインターネットなどの通信ネットワークを介して選択した所望の衣料品の、ユーザの試着状態を簡易に確認する試着システム並びにそれに用いるサーバ装置、ユーザ端末及び携帯通信端末に関する。
【背景技術】
【０００２】
インターネットなどの通信ネットワークで衣料品を販売するオンラインショッピングで衣料品を購入するに際しては、購入者が購入しようとする衣料品の表示サイズや画像（デザイン、色、柄などの情報）を参考にして、或いは当該衣料品を着用した自分を想像して購入を決定する。
【０００３】
しかしながら、表示サイズや画像（デザイン、色、柄などの情報）が同一であっても、購入者個々の体型によって、実際の着用感覚や着用外観は異なったものとなるため、実際に購入した衣料品を着用すると必ずしも満足のいく着用感が得られない場合が多々発生する。これは、表示サイズと購入者自身の体型との相関を確認することが不可であることや、また画像（デザイン、色、柄などの情報）という情報量（表現力）の少なさに起因するものと思われる。
【０００４】
そこで、通信ネットワークを介して購入しようとする衣料品を、購入前に映像上で試着することができるようにした試着システムが従来より種々提案されている（例えば、特許文献１〜５参照）。特許文献１記載の従来の試着システムは、顧客端末と、情報管理用のサーバと、体型データ取得手段とがネットワークを介して互いにデータを送受信可能な試着システムにおいて、情報管理用のサーバが、衣料情報を有し、受信した体型データを基に作成した三次元画像と衣料情報とを合成した三次元画像を作成する機能を有し、顧客端末に合成した画像情報を送信する構成である。
【０００５】
また、特許文献２記載の従来の試着システムは、顧客をカメラで撮影し、撮影した顧客画像及び顧客に関するデータを店舗側サーバシステムの有する顧客データベースに記録し、顧客が試着したい商品を店舗側サーバシステムの有する商品データベースから検索し、検索した商品と顧客データベースから取り出した顧客画像とから検索した商品を顧客が試着した場合を模擬した試着画像を顧客に提示し、検索した商品に満足か否かの判断を顧客に求める構成である。
【０００６】
また、特許文献３記載の従来の試着システムは、体型データ採取手段が採取した体型データを基に三次元画像を形成する機能と、表示機能と、予約機能を有する情報管理用のサーバを備え、その情報管理用サーバのデータベースは少なくともブライダル施設が提供可能な衣装情報と体型データ、挙式日、クレジット番号などの個人情報を有し、情報管理用サーバは予約機能が選択されたとき、挙式日に提供可能な衣装情報を表示すると共に、選択された衣装情報と体型データ採取手段が採取した体型データを基に形成した三次元画像との合成画像を表示する構成である。
【０００７】
また、特許文献４記載の従来の試着システムは、商品画像、商品（衣料品）のサイズ、そのサイズの商品がフィットするための体のサイズ又は体型との対応関係を表わした情報などからなる商品情報をデータベースに格納している試着支援サーバに、ユーザがユーザシステムを用いてアクセスし、複数の商品の中から所望の商品とそのサイズを指定すると共に、自分の体のサイズ、又は体型を入力することにより、選択された商品の商品情報が試着支援サーバからユーザシステムにダウンロードされ、所望の商品がユーザの体にフィットするかどうかの判定結果を表示させると共に、ユーザが予め自分がデジタルカメラで撮影して用意しておいたユーザ撮影画像と、所望の商品とが重ねられた結果（つまり試着結果）を表示する構成である。
【０００８】
更に、特許文献５記載の従来の試着システムは、クライアントがＷｅｂサイト上で所望の衣料品を選択すると、その衣料品の所望の色、柄及び自分の体型データ、更にはクライアント自身の全身の撮影画像をサーバに送信すると、サーバ側で受信したデータを基に選択された衣料品を購入者の全身の画像に合成した画像（衣料品を試着した画像）を、クライアント側の画面上に表示提供する構成である。
【０００９】
【特許文献１】特開２００３−０４１４２１号公報（図１、図２）
【特許文献２】特開２００２−１８３５３０号公報（図１、図２）
【特許文献３】特開２００３−１４７６１９号公報（図１）
【特許文献４】特開２００３−１８６９６５号公報（図１、図２）
【特許文献５】特開２００３−１８７１１６号公報（第４頁）
【発明の開示】
【発明が解決しようとする課題】
【００１０】
しかるに、上記の特許文献１〜５記載の従来の試着システムは、いずれも基本的には、サーバが衣料品の商品情報を有し、ユーザ（クライアント）側から受信した体型データと選択された衣料品の商品情報とを基に、ユーザの体型の画像に、選択された衣料品を合成した三次元画像を作成して、それをユーザ側に提示する構成であるため、ユーザが選択した所望の衣料品がデザインや色的に自分に似合うか否か、所望の衣料品のサイズが実際の自分の体型にどの程度合うか否かは、上記の三次元画像に基づきある程度は分かるが、所望の衣料品が当該衣料品を着用する環境でどの程度見映えがするか否かを確認することはできない。
【００１１】
本発明は以上の点に鑑みなされたもので、所望の衣料品がデザインや色的に自分に似合うか否か、所望の衣料品のサイズが実際の自分の体型にどの程度合うか否かだけでなく、所望の衣料品が当該衣料品を着用する環境でどの程度見映えがするか否かを実際に試着することなく、簡易に確認することができる試着システム並びにそれに用いるサーバ装置、ユーザ端末及び携帯通信端末を提供することを目的とする。
【００１２】
また、本発明の他の目的は、衣料品のデータをサーバ装置以外から簡単に入手し得る試着システム並びにそれに用いるサーバ装置、ユーザ端末及び携帯通信端末を提供することにある。
【課題を解決するための手段】
【００１４】
この発明では、ユーザ端末が、サーバ装置から送信された衣料情報が示す衣料品の中から選択した衣料品を示す試着衣料情報と共に照度補正指示情報をサーバ装置へ送信し、サーバ装置は、予め記憶しているユーザ端末のユーザの体型情報と受信した試着衣料情報とを合成し、更に受信した照度補正指示情報により、記憶している照度情報に基づき照度補正を施した三次元の合成画像を生成してユーザ端末へ通信ネットワークを介して送信するようにしたため、ユーザ端末により選択した衣料品を試着したユーザ体型情報が示すユーザの三次元画像だけでなく、その三次元画像に照度補正が施された合成画像をユーザ端末で表示させることができる。
【００１５】
上記の目的を達成するため、第１の発明の試着システムは、作成又は更新した衣料品の三次元情報を含む衣料情報を送信する衣料メーカ端末と、ユーザの三次元画像である体型情報を取得して送信する体型情報取得装置と、受信した衣料メーカ端末からの衣料情報、受信した体型情報取得装置からの体型情報、アクセス可能なユーザのユーザ情報、及び特定の建築物内の照度又は特定の地域・場所における少なくとも天気に基づく照度を示す照度情報をそれぞれ記憶する機能を少なくとも備えたサーバ装置と、ユーザが試着しようとする所望の衣料品を選択するためのユーザ端末とが、通信ネットワークを介して互いに双方向に通信可能な状態で接続された試着システムであって、ユーザ端末は、通信ネットワークを介してサーバ装置にアクセスして、サーバ装置から受信した衣料情報の中から試着しようとする所望の衣料品を示す試着衣料情報、特定の建築物内又は特定の地域・場所のいずれにおいて照度補正するか否かを示す照度補正指示情報、及び試着衣料情報が示す三次元の衣料品がユーザの体型情報が示すそのユーザの体型に対してどれだけの余裕があるかを示す指標である適合度を指示する適合度指示情報をそれぞれ通信ネットワークを介してサーバ装置に送信し、サーバ装置は、アクセスされたユーザ端末から送信された試着衣料情報及び照度補正指示情報を受信し、予め記憶しているユーザ端末のユーザの体型情報と受信した試着衣料情報とを合成し、受信した照度補正指示情報により読み出した記憶している照度情報に基づき照度補正を施して生成した三次元合成画像中に、更に受信した適合度指示情報に基づき算出した適合度を付加した合成画像を生成してユーザ端末へ通信ネットワークを介して送信する機能を有することを特徴とする。
【００１６】
この発明では、第１の発明に加えてユーザ端末が適合度指示情報をサーバ装置に送信し、サーバ装置がその適合度指示情報に基づき適合度を算出して、その適合度を例えば注釈等などとして付加した三次元の合成画像を生成することができる。
【００１９】
また、上記の目的を達成するため、第３の発明のサーバ装置は、作成又は更新した衣料品の三次元情報を含む衣料情報を送信する衣料メーカ端末と、ユーザの三次元画像である体型情報を取得して送信する体型情報取得装置と、ユーザが試着しようとする所望の衣料品を選択するためのユーザ端末と共に、通信ネットワークを介して互いに双方向に通信可能な状態で接続された試着システムを構築するサーバ装置であって、衣料メーカ端末からの衣料情報、体型情報取得装置からの体型情報、ユーザ端末から送信された各種情報を、通信ネットワークを介して受信する受信手段と、受信した衣料情報を記憶又は更新する第１の記憶部と、受信した体型情報を記憶又は更新する第２の記憶部と、アクセス可能なユーザのユーザ情報を記憶する第３の記憶部と、特定の建築物内の照度又は特定の地域・場所における少なくとも天気に基づく照度を示す照度情報を記憶する第４の記憶部と、アクセスされた第３の記憶部に記憶されているユーザのユーザ端末に対し、第１の記憶部から読み出した衣料情報をユーザ端末に送信する衣料情報送信手段と、アクセスされたユーザ端末から送信された適合度指示情報を受信手段により受信したときは、受信した適合度指示情報に基づき、ユーザが試着しようとする所望の衣料品を示す試着衣料情報が示す三次元の衣料品が、そのユーザの体型情報が示すユーザの体型に対してどれだけの余裕があるかを示す指標である適合度を算出する適合度算出手段と、衣料情報を受信したユーザ端末において衣料情報の中から選択して送信された試着衣料情報、及びそのユーザ端末から送信された特定の建築物内又は特定の地域・場所のいずれにおいて照度補正するか否かを示す照度補正指示情報を受信手段により受信したときは、受信した試着衣料情報と第２の記憶部から読み出したユーザの体型情報とを合成し、更に受信した照度補正指示情報が照度補正を指示しているときは、第４の記憶部から読み出した照度情報に基づき照度補正を施し、かつ、算出された適合度に応じた三次元の合成画像を生成する合成画像生成手段と、合成画像生成手段により生成された三次元の合成画像をユーザ端末へ通信ネットワークを介して送信する送信手段とを有することを特徴とする。
【００２１】
また、上記の目的を達成するため、第４の発明のユーザ端末は、作成又は更新した衣料品の三次元情報を含む衣料情報を送信する衣料メーカ端末と、ユーザの三次元画像である体型情報を取得して送信する体型情報取得装置と、受信した衣料メーカ端末からの衣料情報、受信した体型情報取得装置からの体型情報、アクセス可能なユーザのユーザ情報、及び特定の建築物内の照度又は特定の地域・場所における少なくとも天気に基づく照度を示す照度情報をそれぞれ記憶する機能を少なくとも備えたサーバ装置と共に、通信ネットワークを介して互いに双方向に通信可能な状態で接続された試着システムを構築するユーザ端末であって、通信ネットワークを介してサーバ装置にアクセスして、サーバ装置から衣料情報を受信して表示部に表示する衣料情報受信手段と、受信した衣料情報の中から試着しようとする所望の衣料品を示す試着衣料情報及び特定の建築物内又は特定の地域・場所のいずれにおいて照度補正するか否かを示す照度補正指示情報を、試着衣料情報が示す三次元の衣料品とユーザの体型情報とに基づき、三次元の衣料品がユーザの体型情報に対してどれだけの余裕があるかを示す指標としての適合度の算出をサーバ装置に指示するための適合度指示情報と共に通信ネットワークを介してサーバ装置に送信する送信手段と、送信した適合度指示情報、試着衣料情報及び照度補正指示情報に基づき、サーバ装置において生成されて送信された三次元の合成画像を受信して表示部に表示する合成画像受信手段とを有することを特徴とする。この発明は、第１の発明の試着システムを構築するユーザ端末を実現できる。
【００２３】
更に、上記の目的を達成するため、第５の発明の携帯通信端末は、作成又は更新した衣料品の三次元情報を含む衣料情報を送信する衣料メーカ端末と、ユーザの三次元画像である体型情報を取得して送信する体型情報取得装置と、受信した衣料メーカ端末からの衣料情報、受信した体型情報取得装置からの体型情報、アクセス可能なユーザのユーザ情報、及び特定の建築物内の照度又は特定の地域・場所における少なくとも天気に基づく照度を示す照度情報をそれぞれ記憶する機能を少なくとも備えたサーバ装置と共に、通信ネットワークを介して互いに双方向に通信可能な状態で接続された試着システムを構築するユーザ端末として用いられる携帯通信端末であって、各種情報を表示する表示部と、通信ネットワークを介してサーバ装置にアクセスして、サーバ装置から衣料情報を受信する衣料情報受信手段と、受信した衣料情報の中から試着しようとする所望の衣料品を示す試着衣料情報と、特定の建築物内又は特定の地域・場所のいずれにおいて照度補正するか否かを示す照度補正指示情報と、試着衣料情報が示す三次元の衣料品がユーザの体型情報が示すそのユーザの体型に対してどれだけの余裕があるかを示す指標としての適合度の算出を指示する適合度指示情報とを、通信ネットワークを介してサーバ装置に送信する送信手段と、送信した試着衣料情報及び照度補正指示情報並びに適合度指示情報に基づき、サーバ装置において生成されて送信された三次元の合成画像を受信する合成画像受信手段と、衣料情報受信手段により受信された衣料情報、又は合成画像受信手段により受信された合成画像を、予め設定した各部位毎に、その部位の前記衣料品と予めユーザの好みに応じて設定された基準余裕値との寸法の差の比較結果を示す情報と共に切り替えて表示部に表示する表示制御手段とを有することを特徴とする。この発明では、第１の発明の試着システムを構築するユーザ端末として携帯通信端末を用いることができる。
【発明の効果】
【００２５】
本発明によれば、ユーザ端末により選択した衣料品を試着したユーザ体型情報が示すユーザの三次元画像だけでなく、その三次元画像に照度補正が施された合成画像をユーザ端末で表示させるようにしたため、ユーザ端末により選択した所望の衣料品がデザインや色的に自分（ユーザ端末のユーザ）に似合うか否か、所望の衣料品のサイズが実際の自分の体型にどの程度合うか否かということだけでなく、所望の衣料品が当該衣料品を着用する環境でどの程度見映えがするか否か、を実際に試着することなく、簡易に確認することができる。これにより、オンラインショッピングなどの通信ネットワークを介して衣類を購入する際に、或いは既に購入済の衣類に対して、簡易に、またリアルに（実際に身につけるのと同等）に擬似的に試着を行うことができる。
【００２６】
また、本発明によれば、ユーザ端末が適合度指示情報をサーバ装置に送信し、サーバ装置がその適合度指示情報に基づき適合度を算出して、その適合度を付加した三次元の合成画像を生成するようにしたため、ユーザ端末では適合度を付加した三次元の合成画像に基づき、ユーザ端末で選択した所望の衣料品のサイズが実際の自分の体型にどの程度あっているかを実際に試着することなく、客観的な判断指標に基づき正確、かつ、簡易に確認することができる。
【００２７】
更に、本発明によれば、ユーザ端末が、サーバ装置から受信した衣料情報とは別に、予め事前に登録しておいた衣料品の衣料情報を試着衣料情報として、通信ネットワークを介してサーバ装置に送信することにより、購入時だけでなく、購入済の衣料品、或いは未購入の衣料品に対して試着の合成画像を生成するようにしたため、登録した衣料品を、随時、取り出して実際に試着することなく、簡易に着用感を確認することができる。
【００２８】
また、更に、本発明によれば、以上の効果のある試着システムを構築するユーザ端末として、表示部に三次元画像の各部位毎に切替表示することで携帯通信端末を使用できる。
【発明を実施するための最良の形態】
【００２９】
次に、本発明を実施するための最良の形態について説明する。図１は本発明になる試着システムの一実施の形態のシステム構成図を示す。図１に示すように、本実施の形態の試着システムは、ユーザ端末１００と、サーバ装置２００と、体型情報取得装置２５０と、衣料メーカ端末３００と、これらを相互に接続するインターネット等の通信ネットワーク４００とから主に構成されている。なお、ユーザ端末１００、衣料メーカ端末３００、体型情報取得装置２５０は複数あってもよい。ユーザ端末１００は、パーソナルコンピュータ等の情報処理装置であり、サーバ装置２００が提供している衣料情報にアクセスし、その衣料情報と自己の体型情報との合成画像を画面に表示する機能を備えている。
【００３０】
また、衣料メーカ端末３００は、衣料メーカに設置されるパーソナルコンピュータ等の情報処理装置であり、当該衣料メーカで生成された衣料情報をサーバ装置２００に送信する機能を備えている。なお、衣料情報とは、例えば、シャツ、パンツ、スーツ、コート等の衣料品に関する情報であり、当該衣料品の名称、型番、商品番号、色、柄、サイズ、価格、３次元情報（以下、３Ｄ情報ともいう）等の情報を含む。
【００３１】
また、体型情報取得装置２５０は、ユーザの全身を撮像する機能を備え、撮像したユーザの全身データに基づき、当該ユーザの３次元体型データ（以下、３Ｄ体型データともいう）を生成する機能を備えている。
【００３２】
サーバ装置２００は、衣料品を販売する販売センターに設置されているワークステーション・サーバ等の情報処理装置であり、通信部２０１、制御部２０２、記憶部２０３、ユーザ情報ＤＢ（データベース）部２０４、ユーザ体型情報ＤＢ部２０５、衣料情報ＤＢ部２０６及び照度情報ＤＢ部２０７を含む構成とされている。
【００３３】
このサーバ装置２００は、ユーザ端末１００からの要求に対して、衣料情報ＤＢ部２０６に格納されている衣料品の３次元情報（３Ｄ情報）と、ユーザ体型情報ＤＢ部２０５に格納されているユーザの３Ｄ体型データを制御部２０２で合成して、通信部２０１によりユーザ端末１００に送信する機能を備えている。更に、サーバ装置２００は所定の施設内、或いは所定地域の日時、天気による照度情報を照度情報ＤＢ部２０７に記憶しており、上述の合成結果に対し照度情報による補正を行う機能を備えている。
【００３４】
次に、図１に示す本発明の試着システムの一実施の形態の動作について、図２のフローチャートを併せ参照して説明する。まず、衣料メーカで生成された衣料情報は、衣料メーカ端末３００が衣料情報を作成／更新すると（図２（ａ）のステップＳ１０１）、通信ネットワーク４００を介してサーバ装置２００に接続する（図２（ａ）のステップＳ１０２）。サーバ装置２００は上記の接続に基づき、衣料情報の送信を衣料メーカ端末３００に要求すると（図２（ａ）のステップＳ１０３）、衣料メーカ端末３００が衣料情報を通信ネットワーク４００を介してサーバ装置２００に応答送信する（図２（ａ）のステップＳ１０４）。
【００３５】
サーバ装置２００は、上記の衣料情報を受信すると、衣料情報ＤＢ部２０６に受信した衣料情報を格納する（図２（ａ）のステップＳ１０５、Ｓ１０６）。このように、サーバ装置２００は、衣料メーカ端末３００で衣料情報が作成／更新される度に、その衣料情報を通信ネットワーク４００を介して取得して衣料情報ＤＢ部２０６に格納あるいは更新しておく。
【００３６】
一方、ショッピングモール、所定の場所（店舗等）に設置された３Ｄカメラである体型情報取得装置２５０は、ユーザ端末１００の利用者（ユーザ）の全身を撮像して当該ユーザの３Ｄ体型情報を取得すると（図２（ｂ）のステップＳ２０１）、サーバ装置２００に通信ネットワーク４００を介して接続する（図２（ｂ）のステップＳ２０２）。
【００３７】
これにより、サーバ装置２００が体型情報取得装置２５０に対して体型情報の送信を要求すると（図２（ｂ）のステップＳ２０３）、体型情報取得装置２５０がサーバ装置２００に対して取得したユーザ体型情報を通信ネットワーク４００を介して送信する（図２（ｂ）のステップＳ２０４）。
【００３８】
サーバ装置２００は、体型情報取得装置２５０から送信された体型情報を受信し（図２（ｂ）のステップＳ２０５）、それをユーザ体型情報ＤＢ部２０５に登録（更新）する（図２（ｂ）のステップＳ２０６）。このようにして、体型情報取得装置２５０によりユーザの３Ｄ体型情報が作成／更新される度に、その３Ｄ体型情報が通信ネットワーク４００を介してサーバ装置２００に送信されてユーザ体型情報ＤＢ部２０５に登録（更新）される。
【００３９】
次に、サーバ装置２００の動作について、図３のフローチャートを併せ参照して説明する。サーバ装置２００は、ユーザ端末１００からのアクセスに対して、所定の認証（ＩＤ、パスワード入力）を行うことでユーザ情報ＤＢ部２０４に予め登録されているユーザ情報と照合し、正常な認証結果が得られたときにはユーザ体型情報ＤＢ部２０５から該当するユーザの体型情報を抽出する（ステップＳ３０１〜Ｓ３０２）。
【００４０】
次に、サーバ装置２００は、当該ユーザ情報（例えば、過去の購入履歴、ユーザ体型情報）に基づいて、或いは一覧として衣料情報ＤＢ部２０６から読み出した衣料情報をユーザ端末１００の画面に提示する（ステップＳ３０３）。続いて、サーバ装置２００は、提示した衣料情報の中からユーザ端末１００によって選択された衣料情報（試着衣料情報）に応じた衣料品を選択し（ステップＳ３０４）、選択した衣料品の３Ｄ情報を衣料情報ＤＢ部２０６から抽出し（ステップＳ３０５）、更にユーザ体型情報ＤＢ部２０５から読み出したユーザの全身画像である体型情報との画像合成を制御部２０２にて行う（ステップＳ３０６）。
【００４１】
続いて、サーバ装置２００は、ユーザ端末１００からの要求に応じて照度による補正の有無を判定し（ステップＳ３０７）、照度補正する場合は合成画像の照度（明度）を調整する（ステップＳ３０８）。続いて、サーバ装置２００は、照度（明度）補正後の画像に対して、又は照度（明度）補正を行わないときには照度（明度）補正をしない画像に対して、当該衣料品と体型との適合度を算出するかどうか、ユーザ端末１００からの要求に応じて判定し（ステップＳ３０９）、適合度算出要求があったときには、適合度を算出する（ステップＳ３１０）。
【００４２】
ここで、「照度による補正」とは、サーバ装置２００の照度情報ＤＢ部２０７に予め記憶された、例えば、〇〇美術館等の特定の建築物内の照度、××近辺等の特定の地域又は場所の日時・天気に基づく照度などによる補正（明度補正）のことで、この照度による補正を加えることで、当該環境での衣料品の見映え等の確認に用いる。
【００４３】
また、上記の適合度は、衣料品の３Ｄ情報とユーザの体型情報に基づき、三次元の衣料品が当該ユーザの体型情報に対してどれだけの余裕があるかを示す指標として算出されるもので、当該衣料品のゆったり（衣料品＞ユーザ体型）、ぴったり（衣料品＝ユーザ体型）、きつい（衣料品＜ユーザ体型）等、着用した際の大きさの余裕から算出される。最後に、適合度算出を行ったときには、算出された適合度が付加された衣料品と体型との合成画像が、また適合度算出を行わないときには、照度補正された又は照度補正されていない衣料品と体型との合成画像が、サーバ装置２００から通信ネットワーク４００を介してユーザ端末１００に送信される（ステップＳ３１１）。
【００４４】
ユーザ端末１００の利用者は、ユーザ端末１００の画面に表示される上記の合成画像を見て、気に入った場合は購入する。すなわち、表示される上記の合成画像は、利用者の体型を示す利用者の全身画像に利用者が選択した所望の衣料品を試着している三次元画像であり、また、適合度指示要求をしたときには、算出された適合度が上記の三次元画像中に注釈等として表示されている画像であり、ユーザ端末１００の利用者は、その合成画像を見て、所望の衣料品がデザインや色的に自分に似合うか否か、所望の衣料品のサイズが実際の自分の体型にどの程度合うか否か、或いは所望の衣料品が当該衣料品を着用する環境でどの程度見映えがするか否か、を実際に試着することなく、簡易に確認することができる。
【００４５】
なお、サーバ装置２００の設置事業者は、衣料メーカ端末３００を所有する衣料メーカや体型情報取得装置２５０を所有する事業者等との間で予め契約しており、ユーザ端末１００の利用者が衣料品を購入した場合は、予めユーザ端末１００の利用者がサーバ装置２００の設置事業者に対して登録しておいた金融機関の口座から購入金額を引き落とす。また、利用者が体型情報取得装置２５０を利用した際にも、体型情報取得装置２５０の所有者に利用者が利用料金を支払うようにされている。
【００４６】
なお、上記の実施の形態では、ユーザ端末１００は、サーバ装置２００が提供している衣料情報にアクセスし、その衣料情報と自己の体型情報との合成画像を画面に表示する機能を備えているパーソナルコンピュータ等の情報処理装置として説明したが、これに限定されるものではなく、例えば、通信ネットワーク４００としての携帯通信網を介してサーバ装置２００との間でデータを送受信できる携帯電話機等の携帯通信端末でもよい。
【００４７】
図４は上記のユーザ端末１００として使用可能な携帯通信端末の一例のブロック図を示す。この携帯通信端末は携帯電話機の例で、携帯電話機全体を統括的に制御する制御部１１と、アンテナ１２と、アンテナ１２を介して最寄りの基地局（図示せず）との間で無線通信する無線部１３と、送信信号及び受信信号の信号処理を行う信号処理部１４と、スピーカ１６に供給するために受話音声信号や各種の音声信号を処理し、またマイク１７により音響−電気変換して得られた送話音声信号を信号処理する音声処理部１５と、各種のキーからなり所望の情報を入力するためのキー操作部１８と、プログラムや電話帳データなどが記憶されている記憶部１９と、表示駆動部２０と、表示駆動部２０により駆動されて画像表示を行う液晶表示部２１とから構成されている。
【００４８】
この携帯電話機は、通話時は、キー操作部１８から入力されたダイヤル番号（発信時）又は所定の着信応答操作信号が制御部１１に入力され、これにより制御部１１から信号処理部１４、無線部１３及びアンテナ１２を介して最寄りの基地局（図示せず）へ送信信号が無線出力され、更に基地局から公衆網などを介して相手端末との間で所定のシーケンスに従って、通話路が確立される。
【００４９】
その後、相手端末からの通話信号は、公衆網及び基地局を介してアンテナ１２で受信され、更に無線部１３で受信処理された後、信号処理部１４で受話音声信号に変換され、更に音声処理部１５を介してスピーカ１６に供給され、ここで電気−音響変換されて受話音声として発音される。一方、送話音声はマイク１７により音響−電気変換されて送話音声信号となり、音声処理部１５及び信号処理部１４を経由して無線部１３に供給され、ここで所定周波数帯の送信信号とされた後、アンテナ１２を介して基地局へ無線送信され、更に基地局から公衆網などを介して相手端末へ送信される。以上の音声通信の動作は公知である。
【００５０】
このような音声通信を行う携帯電話機において、キー操作部１８による特定の操作入力を行うことにより、最寄りの基地局及び公衆網などの通信ネットワークを介して試着システムのサーバ装置２００にアクセスし、更に携帯電話機の利用者が所望の衣料情報を送信した場合、前記の実施の形態と同様の動作が行われ、サーバ装置２０で生成された利用者の体型に合った上記の所望の衣料品と体型との合成画像が、サーバ装置２００から通信ネットワークを介して携帯電話機に送信される。
【００５１】
携帯電話機の利用者は、その液晶表示部２１の画面に表示される上記の合成画像を見て、気に入った場合は購入する。ここで、液晶表示部２１の画面の大きさは、通常はパーソナルコンピュータに接続された表示装置の画面面積よりもかなり小さいので、サーバ装置２００は一画面の表示情報量を制限し、上記の合成画像を各部位毎に切り替えて画像表示する。この場合、各部位の予め設定（測定）された衣料品と利用者の寸法との差の、利用者個人の好みにより予め設定された基準余裕値との比較結果（余裕大、余裕適、余裕無し）等を表示してもよい。
【００５２】
このようにして、携帯電話機やノートパソコン等の携帯通信端末を使用した場合も、表示される各部位の合成画像に基づいて、携帯通信端末の利用者は、所望の衣料品がデザインや色的に自分に似合うか否か、所望の衣料品のサイズが実際の自分の体型にどの程度合うか否か、或いは所望の衣料品が当該衣料品を着用する環境でどの程度見映えがするか否か、を実際に試着することなく、簡易に確認することができる。
【００５３】
なお、本発明は以上の実施の形態に限定されるものではなく、例えば、図３のステップＳ３０８の合成画像の明度（照度）の補正において、照明（太陽、晴れた日、曇天、蛍光灯、白熱電球等）の違いを指定することによる色温度補正、すなわち、色相調整（カメラの場合は、色温度補正フィルタをかけることに相当）を行うようにしてもよい。
【００５４】
また、以上の実施の形態では、ユーザ端末１００は衣料品のデータをサーバ装置２００から入手するようにしているが、販売店等で例えば、展示衣料品のコード等を展示衣料品等についているタグ等からバーコード読取装置で読み取り、これを基に販売店あるいは衣料メーカのサーバ装置にアクセスし、簡易に衣料品データを入手することも可能である。
【００５５】
更に、上記の実施の形態の試着システムは、衣料品の購入を例に説明したが、本発明はこれに限定されるものではなく、例えば、購入時だけでなく、購入済のデータ、或いは未購入のデータに対して適用できるようにしてよい。この場合は、買わなくても（楽しみのため、或いは既に似ている服を持っているため）選択した衣料品を自己のユーザ情報として登録しておくことで、随時、取り出しを行い、実際に試着することなく、簡易に着用感を確認することができる。
【００５６】
また更に、条件（用件・目的、気象、着用頻度）を指定すると、予め条件毎に設定した衣料品の中から条件に適合した衣料品を選択できるようにしてもよい。このようにすることで、スタイリッシュなコーディネイト（自動選択）を短時間で決定することができる。或いは、登録ユーザ向けに、現在所有している衣料品の着こなしアドバイスや、それに付加するための商品提案を行えるようにしてもよい。また、バーチャルフリーマーケットでも着用状態がリアルに再現できれば、より購入し易くなると考えられる。
【図面の簡単な説明】
【００５７】
【図１】本発明の試着システムの一実施の形態のシステム構成図である。
【図２】図１の動作説明用フローチャートである。
【図３】図１中のサーバ装置の一例の動作説明用フローチャートである。
【図４】本発明の試着システムで用い得る携帯通信端末の一例の構成図である。
【符号の説明】
【００５８】
１１  制御部
１３  無線部
１８  キー操作部
１９  記憶部
２１  液晶表示部
１００  ユーザ端末
２００  サーバ装置
２０１  通信部
２０２  制御部
２０３  記憶部
２０４  ユーザ情報ＤＢ部
２０５  ユーザ体型情報ＤＢ部
２０６  衣料情報ＤＢ部
２０７  照度情報ＤＢ部
２５０  体型情報取得装置
３００  衣料メーカ端末
４００  通信ネットワーク
【図１】
0004720093.tif 000002
【図２】
0004720093.tif 000003
【図３】
0004720093.tif 000004
【図４】
0004720093.tif 000005